(57)【特許請求の範囲】
【請求項１】
対象者に気温差によるヒートショックのリスクを警告する警告部と、前記対象者が前記警告部の警告を受容したか無視したかの行動履歴を蓄積する蓄積部と、前記蓄積部に蓄積される行動履歴の分析部と、前記分析部に基づき前記警告に従わない行動が重なっていることについて本人を説得する情報を出力する情報出力部とを有し、前記分析部は、前記警告に従わない行動と前記警告を受容する行動の混在比率の変化傾向、前記警告に従わない行動と前記警告を受容する行動との前後関係のいずれかに基づいて前記行動履歴のカテゴリー分け判定を行うとともに、前記情報出力部は、前記分析部による前記カテゴリー分け判定に基づき前記対象者への情報内容を変更し、前記情報内容には前記説得だけでなく前記対象者の行動改善を認める場合の情報も含まれていることを特徴とする警告システム。
【請求項２】
外部への通信部を有し、前記通信部は前記対象者に関する前記分析部の情報を外部に通報することを特徴とする請求項１記載の警告システム。
【請求項３】
前記通信部は、前記分析部に基づき前記対象者に関する前記分析部の情報の通報先を変更することを特徴とする請求項２記載の警告システム。
【請求項４】
季節に関する情報を取得する情報取得部を有し、前記警告部は前記情報取得部に基づき前記対象者に前記警告を行うか否か決定することを特徴とする請求項１から３のいずれかに記載の警告システム。
【請求項５】
前記警告部による警告が必要な季節外において前記警告部の機能をテストするテスト部を有することを特徴とする請求項１から４のいずれかに記載の警告システム。
【請求項６】
前記警告部は、前記警告部による警告が必要な季節到来初期において前記対象者に対し警告への注意喚起を行うことを特徴とする請求項１から５のいずれかに記載の警告システム。
【発明の詳細な説明】
【技術分野】
【０００１】
本発明は、日常生活における警告システムに関する。
【背景技術】
【０００２】
日常生活の中には種々の危険が潜んでいる。一例として、冬季における居室と脱衣場との温度差のため、風呂に入ろうとした人が脱衣中にヒートショック起こす危険が指摘されており、種々の対策が講じられている。例えば、人が居室から脱衣場に移動した際におけるヒートショックの発生を抑制するため、居室内の空気を脱衣室に供給する空気供給機構設けることが提案されている。（特許文献１）一方、脱衣場の温度や、脱衣場と隣接する部屋との温度差に基づいて血圧上昇を抑制する香や音を発生させたり体感温度を上昇させる光を発生させたりすることが提案されている。（特許文献２）。
【先行技術文献】
【特許文献】
【０００３】
【特許文献１】特開２００９−２１６３６７号公報
【特許文献２】特開２０１２−０３２０６６号公報
【発明の概要】
【発明が解決しようとする課題】
【０００４】
しかしながら、より有用な日常生活の危険防止に関してはさらに検討すべき課題が多い。
【０００５】
本発明の課題は、上記に鑑み、日常生活において有用な警告システムを提案することにある。
【課題を解決するための手段】
【０００６】
上記課題を達成するため、本発明は、対象者に気温差によるヒートショックのリスクを警告する警告部と、前記対象者が前記警告部の警告を受容したか無視したかの行動履歴を蓄積する蓄積部と、前記蓄積部に蓄積される行動履歴の分析部とを有することを特徴とする警告システムを提供する。これによって対象者に対してより効果的にヒートショックの警告を行なうことが可能となる。
【０００７】
具体的な特徴によれば、前記分析部は、前記行動履歴に基づき前記対象者をリスクの観点から分類される複数のカテゴリーの一つにカテゴリー付けする。これによって、対象者のカテゴリーに応じたより適切な警告を行なうことができる。より具体的には、前記警告部は、前記カテゴリー付けに基づき前記対象者への警告内容を変更することを特徴とする請求項２記載の警告システム。
【０００８】
他の具体的な特徴によれば、警告システムは外部への通信部を有し、前記通信部は前記カテゴリー付けに基づき前記分析部の情報を外部に送信する。外部とは例えば、対象者の家族、または見守りサービス業者である。これによって外部からの説得等が可能となり、対象者への警告受容効果を高めることができる。より具体的には、前記通信部は前記カテゴリー付けに基づき前記分析部の情報を外部に送信するか否か決定する。また、前記通信部は前記カテゴリー付けに基づき情報通信する外部への通信内容を変更することができる。また、前記通信部は、前記カテゴリー付けに基づき前記分析部の情報の通信先を変更することができる。また、前記通信部は、第一の通信先が通信に応答したか否かに基づき第二の通信先に通信を行うか否か決定することができる。
【０００９】
他の具体的な特徴によれば、警告システムは気温変化に関する情報を取得する情報取得部を有し、前記警告部は前記情報取得部に基づき警告を行うか否か決定する。また他の具体意的な特徴によれば、警告システムは気温変化に関する情報を取得する情報取得部を有し、前記警告部は前記情報取得部に基づき警告内容を変更する。また他の具体的な特徴によれば、警告システムは気温変化に関する情報を取得する情報取得部を有し、前記通信部は前記情報取得部の情報を外部に送信する。より具体的には、前記通信部は前記情報取得部に基づき前記情報取得部の情報を外部に送信するか否か決定する。また、前記通信部は前記情報取得部に基づき外部への通信内容を変更することができる。また、前記通信部は前記情報取得部に基づき情報の通信先を変更することができる。前記気温変化に関する情報は例えば日付、または気温予報である。他の具体的な特徴によれば、警告システムは、前記警告部による警告が必要な季節外において前記警告部の機能をテストするテスト部を有する。
【００１０】
本発明の他の特徴によれば、気温変化に関する情報を取得する情報取得部と、気温差の検知部と、前記情報取得部と前記検知部に基づき対象者に気温差によるヒートショックのリスクを警告する警告部とを有することを特徴とする警告システムが提供される。このような気温変化に関する情報を加味することにより、警告の説得力を増すことが可能となる。
【００１１】
上記本発明の具体的な特徴によれば、前記警告部は前記情報取得部に基づき警告内容を変更する。他の具体的な特徴によれば、警告システムは外部への通信部を有し、前記通信部は前記情報取得部に基づき外部への通信を行なうか否か決定する。他の具体的な特徴によれば、前記通信部は前記情報取得部に基づき外部への通信内容を変更する。他の具体的な特徴によれば、前記通信部は前記情報取得部に基づき通信先を変更する。このように気温変化に関する情報に基づき、より適切な警告を行なうことができる。
【００１２】
本発明の他の特徴によれば、対象者に気温差によるヒートショックのリスクを警告する警告部と、前記警告部による警告が必要な季節外において前記警告部の機能をテストするテスト部とを有することを特徴とする警告システムが提供される。これによって、春から夏を経て秋に至る長期間機能しない警告部が、警告が必要となる冬季において機能しなくなっている等の不都合を回避することができる。
【００１３】
上記本発明の具体的な特徴によれば、前記警告部は、異なる部屋にそれぞれ設けられる温度センサを有し、前記警告部は前記警告部による警告が必要な季節において前記温度センサによる温度差に基づきヒートショックのリスクを警告するとともに、前記テスト部は、前記警告部による警告が必要な季節外において前記温度センサによる温度差に逆転現象が生じることにより前記温度センサの機能をテストする。これによって、例えば冬季において暖房されている居室と脱衣場の温度差の検知を行なうべき温度センサが、夏季には居室が冷房されることによって逆の温度差を呈するか否かチェックすることで、夏季においても温度センサが正常に機能していることをチェックできる。
【００１４】
他の具体的な特徴によれば、前記警告部は、ヒートショックのリスクがある部屋に設けられる人感センサを有し、前記テスト部は、前記警告部による警告が必要な季節外において前記対象者が在宅中の所定期間内に前記人感センサによる検知があるか否かにより前記人感センサの機能をテストする。例えば夏季において、在宅であるにも係らず数日にわたり人感センサの検知がないというような事態の有無をチェックすることにより、夏季においても人感センサが正常に機能しているかどうかチェックできる。
【００１５】
他の具体的な特徴によれば、前記警告部は、ヒートショックのリスクがある部屋に設けられる警告出力部を有し、前記テスト部は、前記警告部による警告が必要な季節外において前記警告出力部に通電することにより前記警告出力部の機能をテストする。これによって長期間使用しなかった警告出力部が、警告が必要となる冬季において機能しなくなっている等の不都合を回避することができる。
【００１６】
本発明の他の特徴によれば、対象者に気温差によるヒートショックのリスクを警告する警告部を有するとともに、前記警告部は、前記警告部による警告が必要な季節到来初期において警告への注意喚起を行うことを特徴とする警告システムが提供される。これによって長期間念頭になかったヒートショック問題について、警告が必要となる冬季シーズン初めに注意を喚起することができる。
【発明の効果】
【００１７】
上記のように、本発明によれば、日常生活において有用な警告システムが提供される。
【図面の簡単な説明】
【００１８】
【図１】本発明の実施例１の全体構成を示すシステム図である。（実施例１）
【図２】図１の実施例１におけるコントローラの動作を示す基本フローチャートである。
【図３】図２のステップＳ１４の詳細を示すフローチャートである。
【図４】図２のステップＳ１８の詳細を示すフローチャートである。
【図５】図２のステップＳ２２の詳細を示すフローチャートである。
【図６】図２のステップＳ２４の詳細を示すフローチャートである。
【図７】図２のステップＳ２６の詳細を示すフローチャートである。
【図８】図２のステップＳ２８の詳細を示すフローチャートである。
【図９】図２のステップＳ３０の詳細を示すフローチャートである。
【発明を実施するための形態】
【実施例１】
【００１９】
図１は、本発明の実施の形態に係る実施例１の全体構成を示すブロック図である。実施例１は、家庭内における風呂場の脱衣場における警告システムを構成している。家屋２は居室４、浴室６および浴室６に隣接する脱衣場８を有する。居室４と脱衣場８は隣接している場合もあるが、廊下で結ばれている場合もある。いずれの場合も、冬季において居室４と脱衣場８との温度差のため、居室４から脱衣場８に移動した住人が両者の温度差のため脱衣中にヒートショック起こす危険がある。実施例１は、これに対し、第一に、居室４と脱衣場８との温度差を緩和するための対策を講じ、第二に、温度差の解消されない脱衣場８おいて住人が脱衣しないようにするための対策を講じるものである。
【００２０】
居室４のコントローラ１０は、システム全体をコントロールするとともに電話機能を備えており、マイク１２、スピーカ１４、操作部１６、表示部１８および通信部２０により遠隔地家族の携帯電話２２や見守りサービス業者の携帯電話２４等と通信可能である。コントローラ１０はまた操作部１６および表示部１８による手動操作と設定に基づき冷暖房可能なエアコン部２６による暖房を手動制御するとともに室温センサ２８等に基づきエアコン部２６による暖房を自動制御することができる。コントローラ１０はさらに後述するヒートショック警告等のための音声データを記憶するメッセージ記憶部３０、および警告に対する住人の行動履歴等を記憶する履歴等記憶部３２を有する。これらの記憶部は機能の説明のため分離して図示しているが、実際は、これらの記憶部の機能は、コントローラ１０の制御ブログラムや必要なデータを記憶するためのＲＯＭやＲＡＭの機能として実現される。なお、履歴等記憶部３２は、室温センサ２８、４０、５４による室温測定結果の記録等も行う。
【００２１】
浴室６の浴槽のお湯張りや追い炊きなどは、居室４の操作部１６および表示部１８による手動操作と設定に基づき居室４のコントローラ１０により手動または自動制御される。また浴室６の暖房部３６は、居室４の操作部１６および表示部１８による手動操作と設定に基づき居室４のコントローラ１０により手動制御される。さらに、暖房部３６は、後述のように、脱衣場８に関連する諸状況および浴室６内の人感センサ３８、室温センサ４０さらには浴槽３４に付属する水位センサ４２および水温センサ４４に基づきコントローラ１０により自動制御される。
【００２２】
脱衣場８の暖房部４６は、居室４の操作部１６および表示部１８による手動操作と設定に基づき居室４のコントローラ１０により手動制御されるが、脱衣場８内の操作部４８および表示部５０による手動操作に基づき居室４のコントローラ１０で手動制御することもできる。さらに、暖房部４６は、後述のように、浴室６に関連する諸状況および脱衣場８内の人感センサ５２、室温センサ５４に基づきコントローラ１０により自動制御される。
【００２３】
以上の脱衣場８内の暖房部４６および浴室内６の暖房部３６による暖房の自動制御は、基本的には居室４内の室温センサ２８および脱衣場８内の室温センサ５４により脱衣場８内が所定以下の低温にならないように、また居室４と脱衣場８の温度差が所定以上開かないようにするとともに、脱衣場８および浴室６の無用な暖房を防止することを目的に行われる。その詳細は後述する。
【００２４】
脱衣場８にも、コントローラ１０に接続されるマイク５６、スピーカ５８が設けられており、操作部４８および表示部５０に基づく操作で脱衣場８からも通信部２０による遠隔地家族の携帯電話２２や見守りサービス業者の携帯電話２４等と通信が可能である。また、スピーカ５８からは、室温センサ２８および室温センサ５４により脱衣場８内が所定以下の低温であること、または居室４と脱衣場８の温度差が所定以上であることが検知されたとき、コントローラ１０の制御により、脱衣を控えるよう警告する音声メッセージが出力される。この音声はメッセージ記憶部３０に予め記憶されているもので、通話を通じて録音した遠隔地家族からの声による「お母さん、元気でやってる？」等の呼掛けメッセージとシステム側で予め用意されている警告内容を示すメッセージが含まれている。そして、先に呼掛けメッセージを出力し、次いで警告内容を示すメッセージを出力することで、独居老人等の家屋２の住人が警告を受容し警告を無視せずに脱衣を思いとどまるような心理的状況を醸成する演出を行う。
【００２５】
図２は、実施例１におけるコントローラ１０の動作を説明する基本フローチャートである。フローは、システムへの給電が開始されるとスタートし、ステップＳ２システムの立ち上げ処理およびシステムチェック処理を行ってステップＳ４に移行する。ステップＳ４では、室温センサ２８による居室４の温度の測定を行うとともにコントローラ１０の履歴等記憶部３２に測定結果を記録する。さらにステップＳ６では、室温センサ５４による脱衣場８の温度の測定と履歴等記憶部３２への測定結果の記録を行い、ステップＳ８に移行する。
【００２６】
ステップＳ８では、今回の測定結果に基づき居室４の室温が所定以下か否かチェックする。これは、居室４の室温が所定以下であればエアコン部２６による暖房が行われておらず居室４を住人が使用していないと考えられるので、ヒートショック防止管理から外すためである。ステップＳ８で居室温度が所定以下でなければステップＳ１０に進み脱衣場８の室温が所定以下か否かチェックする。これは、脱衣場８内の室温と体温との差が大きく居室の室温に係らず危険な状態にあることを検知するためである。ステップＳ１０で脱衣場温度が所定以下でなければステップＳ１２に進み、居室４の室温と脱衣場８の室温の差が所定以上か否かチェックする。これは、脱衣場８内の室温が所定以上であっても居室と脱衣場の室温差が大きくヒートショックの危険がある状態を検知するためである。そして、室温差が所定以上あればステップＳ１４に移行する。なお、ステップＳ１０で脱衣場温度が所定以下であれば直接ステップＳ１４に移行する。
【００２７】
ステップＳ１４では、検出結果に基づき、脱衣場８の暖房部４６および浴室６の暖房部３６を自動制御する処理を行う。この処理は、主に暖房部４６および暖房部３６を自動的にオンする処理に該当するが、無用な暖房を行わないために暖房部４６および暖房部３６を自動的にオフする処理も含まれる。その詳細は後述する。ステップＳ１４における脱衣場・浴室暖房自動制御処理が完了するとステップＳ１６に移行する。
【００２８】
ステップＳ１６では、人感センサ５２により住人が脱衣場に立ち入っているか否かチェックする。そして立ち入りが検知されるとステップＳ１８の本人警告処理に移行する。これは、基本的には本人に脱衣を行わないようスピーカ５８からの音声メッセージおよび表示部５０の点滅等により警告する処理であるが、不要な警告を防止する処理および警告に対する住人の対応を記録する処理も含まれる。その詳細は後述する。ステップＳ１８の本人警告処理が完了するとステップＳ２０に移行する。
【００２９】
ステップＳ２０は、ステップＳ１８において警告に係らず脱衣をする等の住人の警告無視行動の履歴が記録されているか否かをチェックする。そして該当記録があればステップＳ２２に進み、今回の行動履歴を記録して蓄積するとともに、蓄積された記録を分析する処理を行ってステップＳ２４に移行する。ステップＳ２４では、ヒートショックの危険性および警告に従わない行動が重なっていることについて本人を説得するメッセージを出力する処理である。この処理におけるメッセージはスピーカ５８による現場メッセージ出力だけでなく、スピーカ１４による居室でのメッセージ出力が含まれる。ステップＳ２２からステップＳ２４の詳細は後述する。
【００３０】
ステップＳ２４における本人説得処理が完了するとステップＳ２６に進み、家族への通知および家族との協力により危険行動を防止する処理に入る。この処理には、通信部２０によるシステムから遠隔地家族の携帯電話２２への危険行動の自動連絡、およびこれに応じた遠隔地家族の携帯電話２２と居室４内のマイク１２とスピーカ１４による通話による説得補助処理が含まれる。その詳細は後述する。
【００３１】
ステップＳ２６における家族通知・協力処理が完了するとステップＳ２８に進み、見守りサービス業者携帯電話２４への通知により危険行動を防止する処理に入る。この処理には、通信部２０によるシステムからサービス業者の携帯電話２２への危険行動の自動連絡、およびこれに応じたサービス業者の携帯電話２４と居室４内のマイク１２とスピーカ１４による通話による説得補助処理、さらにはシステムからサービス業者への家屋２への出張自動依頼処理が含まれる。その詳細は後述する。
【００３２】
ステップＳ２８におけるサービス業者通知処理が完了するとステップＳ３０に移行する。なお、ステップＳ１６で脱衣場の人感がない場合は直接ステップＳ３０に移行する。さらに、ステップＳ２０で住人が警告に従いこれを無視する行動が記録されていなかったときも直接ステップＳ３０に移行する。ステップＳ２８およびステップＳ３０の詳細は後述する。一方、ステップＳ８で居室４の室温が所定以下であることが検知された場合はステップＳ３２に移行する。同様に、ステップＳ１２で居室４の室温と脱衣場８の室温の差が所定以上であることが検知されなかったときもステップＳ３２に移行する。
【００３３】
ステップＳ３２では、脱衣場８の暖房部４６および浴室６の暖房部３６を自動的にオフしてステップＳ３４に移行する。なお、これらの暖房部が元々オフであった場合は、ステップＳ３２では何もせずステップＳ３４に移行する。ステップＳ３４では、本人警告機能をオフしてステップＳ３０に移行する。なお、ステップＳ３４に至ったとき本人警告に関する機能が動作していなければステップＳ３４では何もせずステップＳ３０に移行する。
【００３４】
ステップＳ３０では、機能の設定およびテスト処理を行う。これは、操作部１６および表示部１８による動作条件の諸設定およびその変更を行う処理である。これには暖房オン時刻のタイマーの設定等も含まれる。また、ステップＳ３０にはシステムのテストを行う処理が含まれる。本発明の実施例は、冬季におけるヒートショックの対策なので、ステップＳ１４からステップＳ２８に対応する部分が夏季を含む長期間機能することがない。従って次の冬季になってシステムが正常に機能するかいなかを日常的にチェックすることは意義がある。本発明の実施例では、暖房の自動制御および警告機能が動作するか否かに係らずシステムがステップＳ３０に至るようにするとともにマイク１２およびスピーカ１４を通じた遠隔地家族の携帯電話２２との通常通話機能をテスト機能と連動させ、通常通話機能の際に各センサおよびステップＳ４からステップＳ３４が正常に機能するか否かチェックする。これによって、通常通話が可能な限りステップＳ１４からステップＳ２８が正常に機能することを保証している。
【００３５】
ステップＳ３０の機能設定・テスト処理が完了するとフローはステップＳ３６に至り、システムへの給電が停止されているか以下かチェックする。そして給電停止がない限り、ステップＳ４からステップＳ３６を繰り返す。一方、ステップＳ３６で給電停止が検知されると必要な停止処理をおこなってフローを終了する。
【００３６】
図３は、図２のステップＳ１４における脱衣場・浴室暖房自動制御処理の詳細を示すフローチャートである。フローがスタートするとステップＳ４２で浴槽３４へのお湯張りが開始されたか否かチェックする。お湯張り開始が検知されなければステップＳ４４に進み、タイマーによって設定された暖房のオン時刻が到来しているか否かチェックする。タイマー設定オン時刻の到来が検知されなければステップＳ４６に移行し、人感センサ５２による住人の脱衣場８への立ち入りをチェックする。
【００３７】
人感があるとステップＳ４８に進み、水位センサ４２によって浴槽３４が所定の水位まで満たされているか否かチェックする。これは、浴槽３４が所定の水位になければ住人が入浴のために脱衣場に立ち入ったのではないとみなせるのでその判断をするためである。浴槽水位が所定以上であればステップＳ５０に進み、水温センサ４４により浴槽３４の水温が所定以上か否かチェックする。これは、浴槽３４が所定以上の水温でなければ住人が入浴のために脱衣場に立ち入ったのではないとみなせるのでその判断をするためである。脱衣場８は洗面および洗濯機設置のスペースを兼ねており、これらを目的に脱衣場８に立ち入ったときは脱衣を伴わず、危険も少ないのでこれらの場合を峻別するのがステップＳ４８およびステップＳ５０の目的である。なお、ステップＳ４４でタイマー設定オン時刻の到来が検知されたときは人感に係らずステップＳ４６に移行する。タイマーは基本的には暖房をオンするためのものであるが、念のためステップＳ４８およびステップＳ５０のチェックを行うことで、浴槽３４が入浴可能な状態でないにもかかわらず無用に暖房をオンすることを防止する。
【００３８】
ステップＳ５０で浴槽３４の水温が所定以上であれば、入浴のために住人が脱衣場に立ち入った可能性が高いのでステップＳ５２に進み、脱衣場８の暖房部４６および浴室６の暖房部３６を自動的にオンしてステップＳ５４に進む。なお、タイマー設定オン時刻到来に基づいて、ステップＳ４８およびステップＳ５０経由でステップＳ５２に至る場合はともかく、ステップＳ４６の人感に基づいてステップＳ５２に至ったときは、室温は急には高まらないので後述のように脱衣を控えるよう警告を行うことになる。これに対し、ステップＳ４２でお湯張り開始を検知した場合は直ちにステップＳ５２に移行する。この場合はお湯張りに要する時間をかけて暖房が継続されるのでお湯張完了時点で脱衣場も温まっていることが期待される。
【００３９】
一方、ステップＳ４８で浴槽所定水位以下であることが検知された場合、またはステップＳ５０で浴槽水温が所定以下であることが検知された場合はステップＳ５６に進み、人感センサ３８により浴室への住人の立ち入りの有無をチェックする。これは、浴室が入浴可能状態にないにも係らず住人が誤って浴室６に入った場合であり、（警告を無視して）脱衣もしているので極めて危険な状態にある。このときはステップＳ５２に進み、脱衣場および浴室の暖房を急遽オンする。なお、ステップＳ４６において脱衣場人感がない場合、当面暖房を開始する必要がないので直接ステップＳ５４に進む。ステップＳ５６で人感がない場合（通常の場合）も同様にして直接ステップＳ５４に進む。
【００４０】
ステップＳ５４では、水位センサ４２および水温センサ４４によりお湯張り完了状態となったか否かがチェックされる。お湯張完了が検知されるとステップＳ５８に進み、その時点からの経過時間のカウントがスタートする。そしてステップＳ６０でお湯張り完了後所定時間以内に脱衣場で人感があったか否かチェックする。所定時間内に人感があればステップＳ６２に進み、浴室６で人感があったか否かチェックする。浴室人感があれば住人が（安全状態であったか警告を無視したかにかかわらず）脱衣および入浴を行ったことを意味するのでステップＳ６４に進み、入浴中フラグをセットしてステップＳ６６に進む。ステップＳ６２で人感がなければ直接ステップＳ６６に進む。
【００４１】
ステップＳ６６では、入浴中フラグがセットされているか否かチェックし、フラグのセットを確認した上でステップＳ６８における浴室での人感のチェックを実施する。そして人感がなくなれば、入浴していた住人が浴室を出たことを意味するのでステップＳ７０に進み、入浴フラグをリセットするとともに、その後の経過時間のカウントをスタートさせてステップＳ７２に移行する。これは、後述のように入浴後所定時間が経過した後の無用の暖房をオフするための基準とするためである。
【００４２】
ステップＳ７２では、浴室退出後所定時間が経過したか否かチェックする。そして所定時間が経過すればステップＳ７４に進み、経過時間カウントを停止するとともに、脱衣場および浴室の暖房をオフしてフローを終了する。これは、入浴後着衣に充分な時間を経過しておりこれ以上暖房を継続するのは無用と考えられるからである。また、ステップＳ６０でお湯張り完了後脱衣場で人感がないまま所定時間が経過したことが確認されたときもステップＳ７４に移行し、経過時間カウントを停止するとともに、脱衣場および浴室の暖房をオフしてフローを終了する。これは、お湯張り完了後、住人の入浴がないまま長時間暖房を継続することが不合理だからである。一方、ステップＳ５４でお湯張りの完了が検知されないとき、またはステップＳ６６で入浴中フラグのセットが検知できないとき、またはステップＳ６８で浴室人感の検知が継続しているとき、またはステップＳ７２において住人が浴室退出してから後所定時間が経過したことが検知されないときは、いずれも脱衣場および浴室暖房をオフする状況にはないと判断されるので直接フローを終了する。なお、図３のフローは上記のように暖房のオフを行う管理を含むが、大半の場合、暖房のオフは脱衣場が温まったときまたは居室との温度差が解消されたときであり、このためには図２のステップＳ３２が機能することになる。
【００４３】
図４は、図２のステップＳ１８における本人警告処理の詳細を示すフローチャートである。フローがスタートするとステップＳ８２において、ステップＳ１６での脱衣場人感からの経過時間のカウントをスタートし、ステップＳ８４に移行する。ステップＳ８４では、図３のステップＳ４８と同様にして浴槽３４が所定の水位まで満たされているか否かチェックする。浴槽水位が所定以上であればステップＳ８６に進み、図３のステップＳ５０と同様にして、浴槽３４の水温が所定以上か否かチェックする。そして水温が所定以上でなければ、ステップＳ８８に進む。一方、ステップＳ８４で水位が所定上でない場合もステップＳ８８に進む。
【００４４】
ステップＳ８８では脱衣場での人感を再度チェックし人感が継続していればステップＳ９０に進み、ステップＳ８２でスタートさせた時間カウントに基づき最初の人感開始から所定時間以上経過しているか否かチェックする。そして時間経過が確認されると、入浴可能な状況ないにも係らず誤って住人が脱衣を始めている可能性があるのでステップＳ９２に移行する。なお、ステップＳ９０で所定時間が経過していなければステップＳ８８に戻り、所定時間経過まで人感が継続するか否かチェックを続ける。一方、ステップＳ８６で水温が所定以上であることが確認されたときは住人が入浴のため脱衣場に立ち入ったと考えられるので直接ステップＳ９２に移行する。
【００４５】
ステップＳ９２では、これまでの時間カウントをリセットするとともに新たな時間カウントをスタートする。そしてステップＳ９４に進み、家族の呼掛け音声を再生する処理を行う。これは、警告に先立ち家族の呼掛けにより警告を受容する心理を醸成するためである。次いでステップＳ９６で脱衣を制止する警告音声を再生するとともに、表示部の点滅等を行う処理をする。次いでステップＳ９８に進み脱衣場での人感を再度チェックする。人感が継続していればステップＳ１００に進み、浴室での人感をチェックする。浴室人感がなければステップＳ１０２に進み、ステップＳ９２でスタートした時間カウントに基づいて所定時間が経過したか否かチェックする。そして所定時間の経過があれば警告を無視して脱衣してしまったと見做し、ステップＳ１０４に進む。一方、所定時間の経過がなければステップＳ９４に戻り、以後、脱衣場での人感が続き所定時間が経過しない限りステップＳ９４からステップＳ１０２を繰り返す。一方ステップＳ１００で浴室人感があれば住人が脱衣してしまったことを意味するので直ちにステップＳ１０４に進む。
【００４６】
ステップＳ１０４では警告を無視して脱衣した行動の履歴を記録し、ステップＳ１０６に進む。一方、ステップＳ９８で脱衣場の人感が所定時間内になくなったことが検知された場合、警告を受容して脱衣を思いとどまったと考えられるのでステップＳ１０８に進み警告を受容した行動の履歴を記録してステップＳ１０６に進む。また、ステップＳ８８で脱衣場人感が所定時間以内になくなったときは、住人が入浴可能な状況でないことを了解して脱衣場を立ち去ったことを意味するか、元々脱衣のために脱衣場に立ち入ったのではないことを意味するので、ステップＳ１０６に移行する。ステップＳ１０６では経過時間カウントを停止してフローを終了する。
【００４７】
図５は、図２のステップＳ２２の行動履歴蓄積・分析処理の詳細を示すフローチャートである。フローがスタートするとステップＳ１１２で新たな行動履歴があればこれを蓄積し、ステップＳ１１４に進んで直近の複数の連続する行動履歴を抽出する。さらにステップＳ１１６では、通信部２０により外部データベースより週間天気予報および週間気温予報を受信し、履歴等記憶部３２の予報記憶を更新する。
【００４８】
次いでステップＳ１１８では、抽出した最新行動履歴が警告の受容（脱衣の中止）であるか否かチェックする。最新の行動履歴が受容でなければステップＳ１２０に進み、抽出した前回の行動履歴が受容であるか否かチェックする。そして前回の行動履歴も受容でなければ、記憶されている全行動履歴をチェックし、ステップＳ１２４に進んで全行動履歴の中に受容履歴が含まれているか否かチェックする。受容履歴があればステップＳ１２６に進み、警告無視（脱衣の実行）行動履歴の比率が所定以上（例えば３０％以上）に上っているか否かチェックする。この比率が所定以下であればステップＳ１２８に進み、全体の比率は低いが最近の無視行動が増加傾向にあるか否かチェックする。そして増加傾向が認められればステップＳ１３０に進み、行動分析の結果を「要注意カテゴリー」と判定してステップＳ１３２に移行する。この行動カテゴリーは、見守り対象者が次第に警告に慣れ、これを軽視するようになってリスクが高まっていると判定するものである。
【００４９】
一方、ステップＳ１２８で最近の無視行動が増加傾向にないことが確認できるとステップＳ１３４に進み、行動分析の結果を「激励カテゴリー」と判定してステップＳ１３２に移行する。この行動カテゴリーは、全体として警告無視行動の比率が小さくそれが増加傾向にもないので、見守り対象者が比較的警告を尊重する性向にあり、警告をより尊重するようにとの激励にも耳を貸すと判定するものである。
【００５０】
また、ステップＳ１２６で警告無視（脱衣の実行）行動履歴の比率が所定以上（例えば３０％以上）に上っていることが確認された場合は、ステップＳ１３６に進み、行動分析の結果を「気まぐれカテゴリー」と判定してステップＳ１３２に移行する。この行動カテゴリーは、全体として警告無視行動の比率が大きく、見守り対象者は気まぐれに警告に従う場合があるものの基本的に警告を軽視する性向にあると判定するものである。
【００５１】
さらに、ステップＳ１２４で全行動履歴の中に受容履歴に全く含まれていないことが確認
確認された場合は、ステップＳ１３８に進み、行動分析の結果を「頑固カテゴリー」と判定してステップＳ１３２に移行する。この行動カテゴリーは、見守り対象者は警告に全く耳を貸さない頑固者であると判定するものである。
【００５２】
なお、ステップＳ１２０で、抽出した前回の行動履歴が受容であると判断された場合は、ステップＳ１４０に進み、行動分析の結果を「油断大敵カテゴリー」と判定してステップＳ１３２に移行する。この行動カテゴリーは、今回は警告を無視したが前回は警告を受容しているので見守り対象者は基本的に警告を重視しており、今回偶々油断して警告を無視したものと判定するものである。
【００５３】
ステップＳ１３２は、コントローラ１０の日付・時計機能に基づく日付の情報およびステップＳ１１６で更新された週間天気・気温予報に基づく気温傾向情報を警告受容への説得材料として付加する処理であり、この処理の完了によりフローを終了して図２のステップＳ２４に移行する。つまり、ステップＳ１３２に至った場合は、いずれも最新行動履歴として見守り対象者が警告を無視しており、次回から警告を受容するよう説得する必要があるが、その説得材料として日付的に寒い季節に向かう時期となったことや、実際に低温に向かう気温傾向を示す予報が出されていることが有効なのでこれを判定したカテゴリーにそれぞれ付加するものである。ステップＳ１３２で付加した情報の利用については後述する。
【００５４】
これに対し、ステップＳ１１８で抽出した最新行動履歴が警告の受容であることが確認された場合はステップＳ１４２に進み、さらに前回の行動履歴も警告の受容であったか否かチェックする。そして前回行動履歴が受容でなかったときは、前回警告を無視した見守り対象者が今回は考えを改めて警告を受容したことを意味するのでステップＳ１４４に進み、行動分析の結果を「賞賛カテゴリー」と判定して直ちにステップフローを終了し、図２のステップＳ２４に移行する。つまり、このカテゴリーでは、最新の警告受容行動を賞賛すれば足り、くどくどとした説得情報の提供は逆効果なのでステップＳ１３２を経由しない。
【００５５】
また、ステップＳ１４２で前回行動履歴も受容であることが確認されたときは、見守り対象者が警告を遵守する性向にあり、余計なメッセージは失礼にあたるので、ステップＳ１４６に進み、行動分析の結果を「遠慮カテゴリー」と判定して直ちにステップフローを終了し、図２のステップＳ２４に移行する。このカテゴリーにおいてもステップＳ１３２は経由せず、また、後述のように見守り対象者への一切の失礼なメッセージは遠慮する。
【００５６】
図６は、図２のステップＳ２４の本人説得処理の詳細を示すフローチャートである。この処理は、図５で説明した各カテゴリーに従って見守り対象者に適切は説得等のメッセージを伝達するための処理である。フローがスタートすると、まずステップＳ１５２において判定カテゴリーが「遠慮カテゴリー」であるか否かチェックし、該当すれば見守り対象者に対するメッセージの伝達を遠慮して直ちにフローを終了して図２のステップＳ２６に移行する。
【００５７】
一方、ステップＳ１５２において判定カテゴリーが「遠慮カテゴリー」でないと判断されるとステップＳ１５４に進み、判定カテゴリーが「賞賛カテゴリー」であるか否かチェックする。そして、「賞賛カテゴリー」に該当すれば、ステップＳ１５６に進み、例えば「危険回避ありがとうございます。今後とも適切な情報提供を行います。」等の予め用意された賞賛音声を再生するとともに同趣旨の表示を行ってフローを終了する。
【００５８】
また、ステップＳ１５４において判定カテゴリーが「賞賛カテゴリー」でないと判断されるとステップＳ１５８に進み、判定カテゴリーが「油断大敵カテゴリー」であるか否かチェックする。そして「油断大敵カテゴリー」に該当すれば、ステップＳ１６０に進み、「油断は大敵です。いままでどおり警告を尊重してください。」等の予め用意された共感的勧告音声を再生するとともに同趣旨の表示を行ってフローを終了する。
【００５９】
これに対し、ステップＳ１５８において判定カテゴリーが「油断大敵カテゴリー」でないと判断されるとステップＳ１６２に進み、図５のステップＳ１３２で付加された日付・気温傾向情報に基づく季節変化説得材料の有無をチェックする。そして季節変化説得材料があれば、ステップＳ１６４に進み、日付に基づくものであれば、例えば「暦の上では立冬です。」、または気温傾向情報に基づくものであれば「朝夕の冷え込み予報が出されています。」等の等の季節変化音声の再生および同趣旨の表示を準備してステップＳ１６６に移行する。一方、ステップＳ１６２において季節変化説得材料がないことが確認されると直接ステップＳ１６６に移行する。なお、ステップＳ１６４で準備される音声および表示は、後述のように警告受容への勧告の説得力を増すため、勧告音声に前置きして再生されるものである。
【００６０】
ステップＳ１６６では、判定カテゴリーが「激励カテゴリー」であるか否かチェックする。そして「激励カテゴリー」に該当すれば、ステップＳ１６８に進み、「油断は大敵です。いままでどおり警告を尊重してください。」等の予め用意された共感的勧告音声を再生するとともに同趣旨の表示を行ってフローを終了する。なおこの際、ステップＳ１６４で季節変化音声の前置が準備されている場合、全体の音声再生は、例えば「朝夕の冷え込み予報が出されています。油断は大敵です。いままでどおり警告を尊重してください。」となる。
【００６１】
一方、ステップＳ１６６で判定カテゴリーが「激励カテゴリー」でないと判断されるとステップＳ１７０に進み、判定カテゴリーが「要注意カテゴリー」であるか否かチェックする。そして「要注意カテゴリー」に該当すれば、ステップＳ１７２に進み、「急激な温度差に体を曝すのは危険です。警告を尊重してください。」等の予め用意された指摘勧告音声を再生するとともに同趣旨の表示を行ってフローを終了する。なおこの際、ステップＳ１６４で季節変化音声の前置が準備されている場合、全体の音声再生は、例えば「朝夕の冷え込み予報が出されています。急激な温度差に体を曝すのは危険です。警告を尊重してください。」となる。
【００６２】
また、ステップＳ１７０で判定カテゴリーが「要注意カテゴリー」でないと判断されるとステップＳ１７４に進み、判定カテゴリーが「気まぐれカテゴリー」であるか否かチェックする。そして「気まぐれカテゴリー」に該当すれば、ステップＳ１７６に進み、ステップＳ１６４で季節変化音声の前置が準備されたかどうかチェックする。そして、季節変化音声の前置が準備されている場合はステップＳ１７８に進み、例えば「朝夕の冷え込み予報が出されています。あなたの身を護るため、警告に従ってください。」との説得音声を再生するとともに同趣旨の表示を行ってフローを終了する。
【００６３】
一方、ステップＳ１７６で季節変化音声の前置が準備されている旨の確認ができない場合は勧告を行わず直ちにフローを終了して図２のステップＳ２６に移行する。これは、「きまぐれカテゴリー」に入る見守り対象者の場合、季節変化等の客観的な説得材料なしに自動勧告を行っても効果がないと予想され、逆効果になりかねない自動勧告を行うよりは後述の家族またはサービス業者に対応を委ねることを意味する。また、ステップＳ１７４で判定カテゴリーが「気まぐれカテゴリー」であることが確認できない場合は、判定カテゴリーが「頑固カテゴリー」であることを意味するので、この場合も同様に勧告を行わず直ちにフローを終了して図２のステップＳ２６に移行し、後述の家族またはサービス業者に対応を委ねる。
【００６４】
図７は、図２のステップＳ２６の家族通知・協力処理の詳細を示すフローチャートである。この処理は、見守り対象者の行動を通信部２０により遠隔地家族の携帯電話２２に自動通知し、これに応じた遠隔地家族の携帯電話２２と居室４内のマイク１２とスピーカ１４による通話による説得を行うための処理である。図７のフローがスタートすると、まずステップＳ１８２において判定カテゴリーが「遠慮カテゴリー」であるか否かチェックし、該当すれば家族への自動通知を行わず、直ちにフローを終了して図２のステップＳ２８に移行する。
【００６５】
一方、ステップＳ１８２において判定カテゴリーが「遠慮カテゴリー」でないと判断されるとステップＳ１８４に進み、判定カテゴリーが「賞賛カテゴリー」であるか否かチェックする。そして、「賞賛カテゴリー」に該当する場合も家族への自動通知を行わず、直ちにフローを終了して図２のステップＳ２８に移行する。また、ステップＳ１８４において判定カテゴリーが「賞賛カテゴリー」でないと判断されるとステップＳ１８６に進み、判定カテゴリーが「油断大敵カテゴリー」であるか否かチェックする。そして、「油断大敵カテゴリー」に該当する場合においても家族への自動通知を行わず、直ちにフローを終了して図２のステップＳ２８に移行する。これらのカテゴリーにおいては、見守り対象者自身の自主性を信頼して徒に家族を動員しない。
【００６６】
これに対し、ステップＳ１８６において判定カテゴリーが「油断大敵カテゴリー」でないと判断されるとステップＳ１８８に進み、判定カテゴリーが「激励カテゴリー」であるか否かチェックする。そして「激励カテゴリー」に該当しない場合は、ステップＳ１９０に進み、判定カテゴリーが「要注意カテゴリー」であるか否かチェックする。さらに「要注意カテゴリー」に該当しない場合は、ステップＳ１９２に進み、判定カテゴリーが「気まぐれカテゴリー」であるか否かチェックする。ここで「気まぐれカテゴリー」に該当しない場合は、判定カテゴリーが「頑固カテゴリー」でことを意味するのでステップＳ１９６で発呼用カテゴリー通知音声（この場合は発呼への応答に対し「頑固カテゴリー」であることを通知する音声）を準備する。
【００６７】
一方、ステップＳ１９０において判定カテゴリーが「要注意カテゴリー」であると確認できた場合、またはステップＳ１９２において判定カテゴリーが「気まぐれカテゴリー」であると確認できた場合も、それぞれステップＳ１９６に移行し、発呼用カテゴリー通知音声（これらの場合は、発呼への応答に対し、それぞれ「要注意カテゴリー」または「気まぐれカテゴリー」であることを通知する音声）を準備する。
【００６８】
また、ステップＳ１８８において、判定カテゴリーが「激励カテゴリー」であると確認できた場合は、ステップＳ１９８に移行し、季節変化説得材料の有無をチェックする。そして季節変化説得材料があれば、直ちにフローを終了して図２のステップＳ２８に移行する。「激励カテゴリーにおいて季節変化説得材料があって臨場感のある説得が可能な場合は図６で説明した本人への自動説得に委ね、家族は動員しない。これに対し、ステップＳ１９８において季節変化説得材料が確認できない場合はステップＳ１９６に進み、発呼用カテゴリー通知音声（この場合は発呼への応答に対し「激励カテゴリー」であることを通知する音声）を準備する。このように、季節変化説得材料がない場合は「激励カテゴリー」の見守り対象者に通り一遍の自動説得をしても効果が期待されないため、家族を動員する。
【００６９】
ステップＳ１９６における発呼用カテゴリー通知音声の準備が完了するとステップＳ２００に進み、季節変化説得材料の有無をチェックする。そして季節変化説得材料があれば、ステップＳ２０２に進み、発呼用季節変化音声を準備してステップＳ２０４に移行する。ステップＳ２００で季節変化説得材料が確認できない場合は直接ステップＳ２０４に移行する。
【００７０】
ステップＳ２０４では、予め登録されている家族の携帯電話への発呼、ならびにその応答に対する携帯電話の自動音声通知、およびこれに続く見守り対象者とその家族との通話処理が行われる。そして通話の切断によりステップＳ２０４の家族携帯電話発呼・通話処理が完了するとフローを終了し、図２のステップＳ２８に移行する。なお、所定時間の発呼に対して家族用携帯電話の応答がない場合もステップＳ２０４の家族携帯電話発呼・通話処理を終了して図２のステップＳ２８に移行する。
【００７１】
図８は、図２のステップＳ２８のサービス業者通知処理の詳細を示すフローチャートであり、
通信部２０によるシステムからサービス業者の携帯電話２２への危険行動の自動連絡、これに応じたサービス業者の携帯電話２４と見守り居室４内のマイク１２とスピーカ１４による通話による説得補助処理、さらにはシステムからサービス業者への家屋２への出張自動依頼処理を実行するものである。
【００７２】
図８のフローがスタートすると、まずステップＳ２１２において分析結果が家族携帯電話発呼条件に合致しているか否かチェックする。家族携帯電話発呼条件に合致するとは、図７のステップＳ２０４に至る条件を満たす場合をいう。図８のステップＳ２１２で家族発呼条件を満たさないということは、家族の協力を得るまでもない状態であることを意味し、ましてやサービス業者の協力を仰ぐ必要などない状況なので直ちにフローを終了し、図２のステップＳ３０に移行する。
【００７３】
一方、ステップＳ２１２において分析結果が家族携帯電話発呼条件に合致していることが確認された場合は、ステップＳ２１４に進み、図７のフローに従って家族携帯電話が応答したか否かチェックする。家族携帯電話が応答した場合は、対応を家族に任せサービス業者の出る幕ではない状況なので直ちにフローを終了し、図２のステップＳ３０に移行する。
【００７４】
これに対し、ステップＳ２１４で家族携帯電話が応答しなかった場合は、見守り対象者へのケアが行われていない状態であることを意味するのでステップＳ２１６に進み、判定カテゴリーが「頑固カテゴリー」であるか否かチェックする。「頑固カテゴリー」でなければステップＳ２１８に進み、該当する発呼用カテゴリー通知音声を準備してステップＳ２２０に移行する。ステップＳ２２０では、季節変化説得材料の有無をチェックし、季節変化説得材料があれば、ステップＳ２２２に進み、発呼用季節変化音声を準備してステップＳ２２４に移行する。ステップＳ２２０で季節変化説得材料が確認できない場合は直接ステップＳ２１４に移行する。
【００７５】
ステップＳ２２４では、予め登録されているサービス業者の携帯電話への発呼、ならびにその応答に対する携帯電話の自動音声通知、およびこれに続く見守り対象者とサービス業者との通話処理が行われる。そして通話の切断または所定時間の発呼に対してサービス業者の携帯電話の応答がない場合、ステップＳ２２４のサービス業者携帯電話発呼・通話処理を終了してステップＳ２２６に移行する。
【００７６】
ステップＳ２２６では、ステップＳ２２４において発呼に対するサービス業者の携帯電話の応答の有無をチェックし、応答がなかった場合は、ステップＳ２２８に進み、判定カテゴリーが「激励カテゴリー」か否かチェックする。そして「激励カテゴリー」でなければ、携帯電話の応答に代わるサービス業者のケアが不可欠なのでステップＳ２３０に移行し、サービス業者出張の自動依頼処理を行う。そしてステップＳ２３０のサービス業者出張自動依頼処理が完了するとフローを終了して図２のステップＳ３０に移行する。
【００７７】
また、ステップＳ２１６で判定カテゴリーが頑固カテゴリーであるときは、電話でのやり取りで説得できる可能性が小さいので直ちにステップＳ２３０のサービス業者出張自動依頼処理に移行する。また、ステップＳ２１２で家族携帯電話発呼条件でないことが確認されたとき、またはステップＳ２１４で家族携帯電話の応答が確認できたときは、サービス業者のケアは必要ないので、直ちにフローを終了し、図２のステップＳ３０に移行する。また、ステップＳ２２６でサービス業者携帯電話の発呼応答が確認できたとき、またはステップＳ２２８で激励カテゴリーであることが確認できたときは、いずれもステップＳ２３０のサービス業者出張自動依頼処理を省略してフローを終了し、図２のステップＳ３０に移行する。
【００７８】
図９は、図２のステップＳ３０の機能設定・テスト処理の詳細を示すフローチャートであり、操作部１６および表示部１８による暖房オン時刻のタイマーの設定等を含む動作条件の諸設定およびその変更を行うとともに、夏季を含む長期間機能することがないヒートショック対策が冬季に至って正常に動作するか否かの日常的チェックを行うものである。フローがスタートすると、ステップＳ２３２で設定操作または設定変更操作の有無をチェックし、操作が検知されるとステップＳ２３４に移行して設定・変更操作実行処理を行ってステップＳ２３６に移行する。一方、ステップＳ２３２で操作の検知がなければ直接ステップＳ２３６に移行する。
【００７９】
ステップＳ２３６は、コントローラ１０の日付・時計機能に基づいて、現時点が警告稼働季（例えば１１月から３月の間）か否かチェックする。そして警告稼働季であればステップＳ２３８に移行し、稼働初期（例えば１１月の第一週）であるか否かチェックする。稼働初期であればステップＳ２４０に移行し、人感センサ５２により見守り対象者が脱衣場に立ち入ったか否かチェックする。そして立ち入りが検知されるとステップＳ２４２に進み、季節音声再生処理を実行してフローを終了する。ステップＳ２４２の季節音声再生処理では、「朝夕冷え込む季節になりました。居室との温度差に注意してください。」等の音声を稼働初期において見守り対象者が脱衣場に立ち入る毎に再生する。これによって、長期に渡る警告非稼働季（例えば４月から１０月）で途絶えていた警告遵守行動を思い起こさせる。ステップＳ２３８で稼働初期が過ぎるかステップＳ２４０で人感検知がないときは直ちにフローを終了する。図９のフローが終了すると図２のステップＳ３６に移行する。
【００８０】
一方、ステップＳ２３６で警告稼働季でないことが確認されるとステップＳ２４４以下のテスト機能に移行する。ステップＳ２４４では、コントローラ１０の日付・時計機能に基づいて、所日時が到来（この場合、絶対的な日時ではなく、例えば「３日に１回の正午」等の繰り返し周期が経過）したか否かをチェックする。そして所定日時が到来すれば、ステップＳ２４６に進み、上記繰り返し周期内の人感履歴をリセットするとともに、上記繰り返し周期の経過を測定する人感タイマをリセットして新たにスタートさせ、ステップＳ２４８に移行する。一方、ステップＳ２４４で所定日時が到来していなければ直接ステップＳ２４８に移行する。これによって、後述する人感センサ機能チェックの基準となる所定時間を管理する。
【００８１】
ステップＳ２４８では、夏季等において居室４のエアコン部２６による冷房がなされたか否か、およびその結果、当然に予想される居室４と脱衣場８の温度差の逆転現象（ヒートショックリスク検知の際は、居室４の温度よりも脱衣場８の温度が低くなることをチェックするのに対し、夏季では居室４冷房される結果、冷房設備のない脱衣場８の温度の方が逆に高くなる現象）が生じたか否かをチェックする。そして予想通り温度差が逆転していればステップＳ２５０に進む。なお、ステップＳ２４８では、同様にして、居室４と浴室８の温度差の逆転現象のチェックも行う。従って、ステップＳ２５０に進むのは、脱衣場８および浴室６のいずれに対しても温度差の逆転現象が起こっている場合である。そしてこのような逆転現象が検知されたことをもって、居室の室温センサ２８、脱衣場の室温センサ５４および浴室の室温センサ４０がともに正常に機能していることの一つの指標とする。
【００８２】
ステップＳ２５０では、居室４の電話機能による日常の通話（見守りとは無関係のもの）の完了の有無を検知する。これは、通話の実行に後続するその完了を検知することにより、見守り対象者が在宅であるという条件が満たされているか否かを確認するためのものである。ステップＳ２５０で電話機能通話完了が検知されるとステップＳ２５２に進み、脱衣場８のマイク５６およびスピーカ５８にテストのための通電を行う。そしてステップＳ２５４でコントローラ１０による通電異常の有無を検知し、異常がなければステップＳ２５６に移行する。ステップＳ２５６では、ステップＳ２４６の機能に基づくタイマスタート後、所定時間内に脱衣場８の人感センサ５２および浴室６の人感センサ３８に人感履歴があるか否かをそれぞれチェックする。そしていずれの人感センサにも人感履歴があればステップＳ２５８に移行して異常なし表示を行い、フローを終了して図２のステップＳ３６に移行する。なお、ステップＳ２５０において電話機能通話完了を検知しない場合は、テストタイミングではないので直ちにフローを終了する。
【００８３】
以上のように、何らかのトリガがないとテストが行えない脱衣場８のマイク５６およびスピーカ５８については、電話機能における通話完了を一つのトリガとし、居室のマイク１２およびスピーカ１４が通話の時に使用されたタイミングで同時に脱衣場８のマイク５６およびスピーカ５８のテストを行うものである。
【００８４】
また、脱衣場８の人感センサ５２および浴室６の人感センサ３８のテストにあたっては、人感センサから検知出力がないことが人感センサの異常のためなのか見守り対象者の長期不在のためなのかが判然としないので、電話機能における通話完了という情報を利用することにより見守り対象者の在宅を確認し、在宅の場合には当然使用が期待される脱衣場８または浴室６において最長３日間にわたり人感出力がない場合は人感センサに異常があるものと判断する。
【００８５】
一方、ステップＳ２４８において居室４が冷房中であるにもかかわらず温度差の逆転が起こらない場合は、居室の室温センサ２８、脱衣場の室温センサ５４および浴室の室温センサ４０のいずれかが正常に機能していないものと判断し、ステップＳ２６０に進んで室温センサ機能の機能を確認する必要がある旨の表示を行ってフローを終了する。このように温度センサのテストにあたっては冷房中であることがテストのトリガとなるので、電話機能の通話完了を待たず、ステップＳ２６０に移行する。
【００８６】
また、ステップＳ２５４において脱衣場８のマイク５６およびスピーカ５８の通電異常が検知された場合は、ステップＳ２６０に移行し、通電異常のある脱衣場８のマイク５６またはスピーカ５８またはこれら双方において機能を確認する必要がある旨の表示を行ってフローを終了する。
【００８７】
さらに、ステップＳ２５６においてステップＳ２４６の機能に基づくタイマスタート後、所定時間内に脱衣場８の人感センサ５２および浴室６の人感センサ３８のいずれかに人感履歴の履歴がない場合はステップＳ２６０に進み、人感履歴のない人感センサ５２または人感センサ３８またはこれら双方において機能を確認する必要がある旨の表示を行ってフローを終了する。
【００８８】
なお、上記図９のテスト処理におけるステップS２４８からステップS２６０のフローは、簡単のため、異常の可能性のある確認項目に優先順位をつけ、上位の確認項目に異常の可能性がある場合にはそれより下位の確認項目のテストは省略するフローとしている。そして、上位の確認項目の異常が除去された時点で下位の確認項目のテストに進めるフローとしている。しかしながら、本発明の実施は、このようなテスト方式に限るものではなく、各確認項目を公平に扱い、互いの異常の有無から独立して、各確認項目のそれぞれについて異常の有無を逐一テストできるフローとして構成することも可能である。
【産業上の利用可能性】
【００８９】
本発明は、日常生活における警告システムに適用することができる。
【符号の説明】
【００９０】
５０、５８  警告部
３２  蓄積部
１０  分析部
２０  通信部
２２  対象者の家族
２４  見守りサービス業者
２２  第一の通信先
２４  第二の通信先
１０、２０  情報取得部
１０  テスト部
１０、２８、４０、５４  気温差の検知部
２８、４０、５４  温度センサ
１０  テスト手段
３８、５２  人感センサ
【図１】
0006548366.tif 000002
【図２】
0006548366.tif 000003
【図３】
0006548366.tif 000004
【図４】
0006548366.tif 000005
【図５】
0006548366.tif 000006
【図６】
0006548366.tif 000007
【図７】
0006548366.tif 000008
【図８】
0006548366.tif 000009
【図９】
0006548366.tif 000010